(57)【要約】      （修正有）【課題】  色再現が蛍光で照明された写真上で損なわれずに且つ特に観察可能な緑色キャストなしに非常に低い銀適用割合で充分な感度を達成することができるカラー写真記録材料を提供する。【解決手段】  支持体、異なる写真感度の青感性、緑感性、赤感性のそれぞれが少なくとも２つのハロゲン化銀乳剤層であって、銀適用割合が３．２ｇ／ｍ２より少ない銀であり、カメラ感度が少なくともＩＳＯ１００であり、且つ、濃度０．６のグレーカードの露出が光色２１の蛍光を用いて行なわれるときに、昼光で露出される写真が同じプリントフィルターパックを用いてａ＝ｂ＝０である場合、記録材料がＣＩＥＬａｂ値でａ＞０および０＜ｂ＜３０の条件に合致するプリント上での色相をもたらす。【選択図】なし【特許請求の範囲】
【請求項１】
支持体、異なる写真感度の青感性のイエローカプラーを含有する少なくとも２つのハロゲン化銀乳剤層、異なる写真感度の緑感性のマゼンタカプラーを含有する少なくとも２つのハロゲン化銀乳剤層、および異なる写真感度の赤感性のシアンカプラーを含有する少なくとも２つのハロゲン化銀乳剤層を有するカラー写真記録材料であって、銀適用割合が３．２ｇ／ｍ２より少ない銀であり、カメラ感度が少なくともＩＳＯ１００であり、且つ、濃度０．６のグレーカードの露出が光色（ｌｉｇｈｔ  ｃｏｌｏｕｒ）２１の蛍光を用いて行なわれるときに、昼光で露出される写真が同じプリントフィルターパックを用いてａ＝ｂ＝０である場合、記録材料がＣＩＥＬａｂ値でａ＞０および０＜ｂ＜３０の条件に合致するプリント上での色相をもたらすことを特徴とするカラー写真記録材料。
【請求項２】
材料が緑感性カラーパッケージ中でまたはそれと反応性関係で少なくとも２種の異なるＤＩＲカプラーを含有することを特徴とする請求項１に記載のカラー写真記録材料。
【請求項３】
最高感度を有する緑感性ハロゲン化銀乳剤層が少なくとも２種の異なるＤＩＲカプラーを含有することを特徴とする請求項２に記載のカラー写真記録材料。
【請求項４】
少なくとも２種の異なるＤＩＲカプラーが式（Ｉａ−１）、（ＩＩ−１３）、（ＩＩ−１５）および（Ｉｂ−３）の中から選択されることを特徴とする請求項２に記載のカラー写真記録材料。
【請求項５】
ＤＩＲカプラーの使用量が合計で５〜１００ｍｇ／ｍ２になることを特徴とする請求項２に記載のカラー写真記録材料。
【発明の詳細な説明】
【技術分野】
【０００１】
本発明は、支持体、異なる写真感度の青感性のイエローカプラーを含有する少なくとも２つのハロゲン化銀乳剤層、異なる写真感度の緑感性のマゼンタカプラーを含有する少なくとも２つのハロゲン化銀乳剤層、および異なる写真感度の赤感性のシアンカプラーを含有する少なくとも２つのハロゲン化銀乳剤層を有するカラー写真記録材料に関する。
【背景技術】
【０００２】
カラー写真ハロゲン化銀材料の色再現がＤＩＲカプラーで促進されうることは、例えば非特許文献１から既知である。これは、それが適度な日光以外の照明条件下での色再現を最適化に重要である場合にも実質的に適用される。そのような照明手段はしばしば日光のような連続発光スペクトルを有していないが、その代わりに人間の目に対して昼光を連想させる帯スペクトルを有する。そのような灯の代表例は、スペクトルの緑色範囲に発光帯を示す蛍光灯である。対象がそのような光源で照明されるなら、緑色キャストが得られ、それは昼光／蛍光灯光源からの混合光線の存在下ではしばしフィルター除去され得ない。フジ・レアラ（Ｆｕｊｉ’ｓ  Ｒｅａｌａ）フィルムで実現されたように、緑感性パッケージ中の第４層によりこの問題を排除することが可能であり、この層はシアン増感されそして赤感性パッケージ上で抑制作用を有する。しかしながら、この目的のためには銀の増加した量が必要である。
【０００３】
それらの反応性に関して少なくとも１．５の因数だけ異なっていなければならない２種の異なるＤＩＲ化合物をハロゲン化銀乳剤層と組み合わせることは、特許文献１から既知である。この手段により、多数のＤＩＲ化合物を必要とせずに階調曲線を調節することが簡単になる。これらの利点はシアン層上で示されそして使用された材料はｍ２当たり１１．０ｇの銀の銀適用割合を有していた。
【０００４】
ＤＩＲカプラーによりもたらされる色再現における改良は、発色カプリング中に放出される抑制剤が銀のそしてその結果として像染料のさらなる現像中の重要な還元をもたらす事実に基づく。この方法では、ハロゲン化銀は最適に利用されずしかも必要な色濃度を生ずるのに要求されるものより多いハロゲン化銀をフィルム中に供給しなければならない。他方で、この増加した銀適用割合は鮮明度を損ない、それは特に例えばＡＰＳシステム中のパノラマ方式で遭遇するような高い拡大水準で特に顕著である。さらに、高められた銀適用割合は環境観点から望ましくない。
【特許文献１】独国特許発明第２５０９７２２号明細書
【非特許文献１】ＲＤ３８９５７、１９６６、５９１頁、Ｘ．Ｃ．
【発明の開示】
【発明が解決しようとする課題】
【０００５】
本発明の基本的な目的は、色再現が蛍光で照明された写真上で損なわれずに且つ特に観察可能な緑色キャストなしに非常に低い銀適用割合で充分な感度を達成することである。
【課題を解決するための手段】
【０００６】
特に層の緑感性パッケージ中で少なくとも２種のＤＩＲカプラーを３．２ｇの銀／ｍ２（ｍ２当たり５．０ｇのＡｇＮＯ３に相当する）より少ない銀適用割合で使用する場合にある種のＣＩＥＬａｂ値の設定が蛍光による照明時の色再現における改良をもたらしそして特に減じられた緑色キャストをもたらすことが今回驚くべきことに見出された。
【０００７】
本発明は、従って、支持体、異なる写真感度の青感性のイエローカプラーを含有する少なくとも２つのハロゲン化銀乳剤層、異なる写真感度の緑感性のマゼンタカプラーを含有する少なくとも２つのハロゲン化銀乳剤層、および異なる写真感度の赤感性のシアンカプラーを含有する少なくとも２つのハロゲン化銀乳剤層を有するカラー写真記録材料であって、銀適用割合が３．２ｇ／ｍ２より少ない銀であり、カメラ感度が少なくともＩＳＯ１００（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ、ＩＳＯ値の２倍はフィルム感度の２倍を示す）であり、且つ、濃度０．６のグレーカード（ｇｒｅｙ  ｃａｒｄ）の露出が光色２１の蛍光を用いて行なわれるときに、昼光で露出される写真が同じプリントフィルターパックを用いてａ＝ｂ＝０である場合、記録材料がＣＩＥＬａｂ値（Ｃｏｍｍｉｓｓｉｏｎ  Ｉｎｔｅｒｎａｔｉｏｎａｌ  ｄｅ  Ｉ’Ｅｃｌａｉｒａｇｅ、１９７６；色対（ｃｏｌｏｕｒ  ｐａｉｒ）である黒色−白色、赤色−緑色、イエロー−青色をベースにした３つの独立変数を使用する場合にはＣＩＥＬａｂ座標は色の線状等距離空間を生ずる）でａ＞０および０＜ｂ＜３０の条件に合致するプリント上での色相をもたらすことを特徴とするカラー写真記録材料を提供する。ＩＳＯ値で示される他に、感度はしばしばＤＩＮ値でも示され、既知のようにＩＳＯ１００はＤＩＮ２１に相当し、それは例えばカラーフィルムに関してはＩＳＯ１００／２１°として示される。
【０００８】
本発明の目的のためには、昼光は５５００Ｋの色温度を有する連続光線スペクトルを意味するものとされ、光線は可能であれば例えば日光または変換フィルターと連結した白熱電球からの光線である。
【０００９】
本発明の目的のためには、蛍光は一般的な長い蛍光灯からのもの並びに例えばフィリップス（Ｐｈｉｌｉｐｓ）およびオスラム（Ｏｓｒａｍ）からのような種々の製造業者からのコンパクト蛍光灯からものもの両者を意味するとされる。製造業者はそのような蛍光灯の光色を番号コードおよび対応する記載事項の両者として示しており、光色２１は製造業者によるが光色８４０（国際ＩＤ番号）として、「純白色（ｎｅｕｔｒａｌ  ｗｈｉｔｅ）」としてまたは「冷白色（ｃｏｏｌ  ｗｈｉｔｅ）」としても示される。
【００１０】
図１に示されているように、この光線は数本の発光線から構成されそして４０００Ｋの色温度を有する。
【００１１】
この照明が使用される場合に記録材料の本発明に従う調節が昼光条件下または様々な種類の蛍光中のいずれでも緑色キャストを示さない特に多様な多目的材料をもたらすことが驚くべきことに見出された。
【００１２】
プリントは、プリント方法による本発明に従う記録材料から得られる反射プリントを意味するとみなすべきである。本発明の好ましい態様では、記録材料はカラーネガフィルムを含んでなり、それは露出されそして処理される時にカラーネガをもたらし、それを次に写真プリンターを用いてカラーネガ紙の上で露出し、そこから処理後にプリントが得られる。
【００１３】
ニュートラルプリントを得るための特殊フィルム用に使用されるプリンター設定のセットがプリントフィルターパックとして知られている。
【００１４】
それらの性質であるカプリング速度、拡散および抑制がハロゲン化銀乳剤性質である分光感度、現像時間性能および抑制感受性と相互作用して色再現に対するそれらの影響を決定するため、層の緑感性パッケージ中のＤＩＲカプラーのタイプおよび数が特に重要である。
【００１５】
ＣＩＥＬａｂ値はさらに、既知の手段により、例えばカラー写真記録材料の像染料の分光感度分布および吸収スペクトルを調節することにより、設定することができる。
【００１６】
しかしながら、蛍光による照明時の高められた感度および優れた色再現にもかかわらず、材料が緑感性カラーパッケージ中またはそれと反応性関係で少なくとも２種のＤＩＲカプラーを含有する場合には特に低い銀含有量を有する材料が得られる。
【００１７】
本発明の目的のためには、カラーパッケージは同一範囲の可視スペクトル（青色、緑色または赤色）に増感される異なる感度を有する少なくとも２つのハロゲン化銀乳剤層のユニットを意味するとみなされる。カラーパッケージ内のスペクトル感度分布はスペクトルの特定範囲内では層毎に変動しうるが、カラーパッケージ内の分光感度分布は好ましくはできる限り均一である。
【００１８】
本発明の目的のためには、カラーパッケージは異なる感度の３つ、４つもしくはそれ以上のハロゲン化銀乳剤層を含有することもでき、そして特に赤および緑感性カラーパッケージ用にはパッケージが各場合とも異なる感度の少なくとも３つのハロゲン化銀乳剤層を有することが好ましい。
【００１９】
本発明に従うＤＩＲカプラーは好ましくはハロゲン化銀乳剤層中で直接使用されるが、それと反応性関係でも使用されうる。後者の語句は、ＤＩＲカプラーがそれ自体ではハロゲン化銀乳剤を含有しない層の中で使用されることを意味するが、それにもかかわらず本発明に従う記録材料の現像中に放出される現像剤酸化生成物（ＤＯＰ）はＤＩＲカプラーを有する層に到達しる。そのような層は特にハロゲン化銀乳剤と直接隣接する中間層を含んでなり、この中間層は好ましくはＤＯＰスカベンジャーを含有しない。
【００２０】
本発明の目的のためには、本発明に従うＤＩＲカプラーがハロゲン化銀乳剤層またはカラーパッケージの中に含有されると述べられている時にはいつでも、それらがハロゲン化銀乳剤層またはカラーパッケージと反応性関係にある態様も常に考えられる。
【００２１】
本発明の１つの特別に有利な態様では、最高感度を有する緑感性のハロゲン化銀乳剤層は少なくとも２種の異なるＤＩＲカプラーを含有する。
【００２２】
本発明に従い配合されるＤＩＲカプラーの合計量は好ましくは０．２〜１００ｍｇ／ｍ２そして特に好ましくは５〜５０ｍｇ／ｍ２である。
【００２３】
本発明に従う少なくとも２種のＤＩＲカプラーの各々は配合物中で少なくとも１０モル％の、好ましくは少なくとも２５モル％のそして特に好ましくは少なくとも３５モル％の量で使用される。
【００２４】
本発明の好ましい態様では、ＤＩＲカプラーは構造Ｉａ、ＩｂまたはＩＩ：
【００２５】
【化１】
2005055911.tif 000002
【００２６】
［式中、
Ｒ１はアルキル、アルコキシを意味し、
Ｒ２は水素原子または置換基を意味し、
Ｒ３はアルキル、アリール、アリールオキシまたはハロゲン原子を意味し、
Ｒ４は水素原子または置換基を意味し、
Ｒ５はアルキル、アルキルアリール、アルキルカルボニルまたはアルコキシカルボニルアルキルを意味し、そして
Ｒ６はアルキル、アルコキシを意味する］、
【００２７】
【化２】
2005055911.tif 000003
【００２８】
［式中、
Ｒ７はＨ、Ｃｌ、−ＣＦ３、アルコキシ、スルファモイルを意味し、
Ｒ８はＨ、Ｃｌ、アルキル、シクロアルキル、アルコキシ、アルコキシカルボニル、カルバモイルを意味し、
ｎは０、１または２を意味し、
ＸはＯまたはＳを意味し、
Ｙはカラー現像時に放出可能なハロゲン化銀現像抑制機能を有する基を意味し、
Ｚはベンゾイル、ピバロイル、カルバモイルまたはキナゾリン−４−オン−２−イル基を意味する］
の化合物の中から選択される。
【００２９】
本発明の目的のためには、アルキル基は線状、分枝鎖状または環式でありうる。
【００３０】
アルキル、アリールおよびヘテロアリール基は、例えば、置換されていてもよく、ここで考えられる置換基は例えばアルキル、アルケニル、アルキニル、アルキレン、アリール、ヘテロシクリル、ヒドロキシ、カルボキシ、ハロゲン、アルコキシ、アリールオキシ、ヘテロシクリルオキシ、アルキルチオ、アリールチオ、ヘテロシクリルチオ、アルキルセレノ、アリールセレノ、ヘテロシクリルセレノ、アシル、アシルオキシ、アシルアミノ、シアノ、ニトロ、アミノ、チオノまたはメルカプト基であり、そしてここでヘテロシクリルは飽和、不飽和または芳香族複素環を示しそしてアシルは脂肪族、オレフィン系もしくは芳香族カルボン酸、カルバミン酸、炭酸、スルホン酸、アミドスルホン酸、燐酸、ホスホン酸、亜燐酸、ホスフィン酸またはスルフィン酸の基を示す。
【００３１】
上記の置換基は式（Ｉａ）および（Ｉｂ）中のＲ２およびＲ４に関しても考えられうる。
【００３２】
Ｒ１は好ましくはアルコキシであり、Ｒ２およびＲ４は好ましくは水素原子であり、Ｒ３は好ましくは塩素原子であり、Ｒ６は好ましくは場合により置換されていてもよいフェニル基である。
【００３３】
本発明の好ましい態様では、式（ＩＩ）のＤＩＲカプラーおよび式（Ｉａ）のＤＩＲカプラーまたは式（ＩＩ）のＤＩＲカプラーおよび式（Ｉｂ）のＤＩＲカプラーが本発明に従い緑感性カラーパッケージの中でそして特に最高感度のハロゲン化銀乳剤層の中で使用され、ここでは式（ＩＩ）のＤＩＲカプラーを式（Ｉａ）のＤＩＲカプラーと一緒に使用することが特に有利であり、そして特に式（Ｉａ）、（Ｉｂ）または（ＩＩ）のものである少なくとも第３のＤＩＲカプラーをさらにその中で使用することもさらに特に好ましい。
【００３４】
本発明に従う式（Ｉ）の適当なＤＩＲカプラーは下記のものである：
【００３５】
【化３】
2005055911.tif 000004
【００３６】
式ＩＩ中でＲ７により表示されるアルコキシ基は、例えば、１６個までのＣ原子を含有できる。Ｒ７により表示されるスルファモイル基は、例えばアルキル、シクロアルキル、アラルキルまたはアリールで、モノ−もしくはジ置換されていてもよく、２個のそのような置換基が窒素原子と一緒になって５−もしくは６−員環を形成することもできる。
【００３７】
式ＩＩ中でＲ８により表示されるアルキル基は、例えば、１−１０個のＣ原子を含有する。Ｒ８により表示されるアルコキシ基は、例えば、１６個までのＣ原子を含有する。Ｒ８により表示されるアルコキシカルボニル基は、例えば、１７個までのＣ原子を含有する。同じことが、Ｒ７のところで定義されたスルファモイル基に適用されるようにはＲ８により表示されるカルバモイル基にも適用される。
【００３８】
式ＩＩにおいては、Ｒ８により表示されるかまたはＲ７もしくはＲ８中に含有されるシクロアルキル基は好ましくはシクロヘキシルである。
【００３９】
式ＩＩ中のＺにより表示されるベンゾイル基は、例えばアルコキシで、好ましくはパラ位置で、置換されていてもよい。式ＩＩ中のＺにより表示されるカルバモイル基は好ましくはフェニルカルバミン酸から誘導され、ここでフェニル環は例えばＣｌ、アルコキシカルボニルおよび／または基
【００４０】
【化４】
2005055911.tif 000005
【００４１】
「式中、Ｘ、Ｒ８およびｎは上記の意味を有する」
で置換されていてもよい。
【００４２】
式ＩＩ中のＺにより表示されるキナゾリン−４−オン−２−イル基は、例えばＣｌまたはアシルアミノで、置換されていてもよい。
【００４３】
式ＩＩ中のＹにより表示されるハロゲン化銀現像抑制機能を有する基は式
−（ＴＩＭＥ）ｎ−ＩＮＨ
のものである。
【００４４】
この式において、ＩＮＨはハロゲン化銀現像抑制剤であり、ｎ＝０または１であり、そしてＴＩＭＥにより表示される結合員はカプラーがハロゲン化銀現像酸化生成物とカプリングする時にカプラーのカプリング部位からの除去後にそれに結合された抑制剤をその後の反応で放出可能な基である。ＴＩＭＥ基はまた、そのような基の存在下ではそれに結合された抑制剤が多くの場合に遅延方式で放出されそして活性になりうるために、時間調節員としても知られる。既知の時間調節員は例えば
【００４５】
【化５】
2005055911.tif 000006
【００４６】
［ここで、Ｏ原子はカプラーのカプリング部位に結合されておりそしてＣ原子は抑制剤のＮ原子に結合される］（例えば独国特許出願公開第２７０３１４５号明細書）、カプラーからの除去後に分子内親核性置換反応を受けて抑制剤を放出する基（例えば独国特許出願公開第２８５５６９７号明細書）、カプラーからの除去後に電子移動が共役系に沿って進んで抑制剤を放出する基（例えば独国特許出願公開第３１０５０２６号明細書）、または
【００４７】
【化６】
2005055911.tif 000007
【００４８】
［ここで、Ｘ（例えば−Ｏ−）はカプラーのカプリング部位に結合されそしてＣ原子は抑制剤の原子に結合されそしてここでＲは例えばアリールを示す］（例えば欧州特許出願公開第０１２７０６３号明細書）である。
【００４９】
ＴＩＭＥ基は存在していてもよくまたは（ｎ＝０である場合には）全く存在しなくてもよい。
【００５０】
Ｚがキナゾリン−４−オン−２−イル基を示す式ＩＩのＤＩＲカプラーが好ましく、そしてこれらの中ではＲ８がｏ−シクロヘキシル基であるものが好ましい。
【００５１】
好ましく使用されるハロゲン化銀現像抑制剤（ＹまたはＩＮＨ）は１，２，３−トリアゾールまたは１，２，４−トリアゾール系からのものである。
【００５２】
本発明に従う式（ＩＩ）の適するＤＩＲカプラーは以下のものである：
【００５３】
【化７】
2005055911.tif 000008
【００５４】
【化８】
2005055911.tif 000009
【００５５】
【化９】
2005055911.tif 000010
【００５６】
【化１０】
2005055911.tif 000011
【００５７】
【化１１】
2005055911.tif 000012
【００５８】
式（Ｉａ−１）、（Ｉｂ−３）、（ＩＩ−１３）および（ＩＩ−１５）のＤＩＲカプラーが特に好ましい。
【００５９】
本発明の好ましい態様では、記録材料のカメラ感度は少なくともＩＳＯ２００でありそして特に好ましくは少なくともＩＳＯ４００である。
【００６０】
写真材料は支持体より構成され、その上に少なくとも１つの感光性ハロゲン化銀乳剤層が適用される。適する支持体は特に薄いフィルムおよびシートである。支持体材料並びにその前面および反対面に適用される補助層はリサーチ・ディスクロージャー（Ｒｅｓｅａｒｃｈ  Ｄｉｓｃｌｏｓｕｒｅ）３７２５４、１部（１９９５）、２８５頁およびリサーチ・ディスクロージャー３８９５７、ＸＶ部（１９９６）、６２７頁に示されている。
【００６１】
カラー写真材料は一般的に少なくとも１つの赤感性、１つの緑感性および１つの青感性ハロゲン化銀乳剤層を、場合により中間層および保護層と一緒に、含有する。
【００６２】
写真材料のタイプによって、これらの層は異なって配置されうる。これは最も重要な製品に関して説明される：
例えばカラーネガフィルムの如きカラー写真フィルムは支持体上に、記載された順序で、２つもしくは３つの赤感性のシアン−カプリングハロゲン化銀乳剤層、２つもしくは３つの緑感性のマゼンタ−カプリングハロゲン化銀乳剤層および２つもしくは３つの青感性のイエロー−カプリングハロゲン化銀乳剤層を有する。同一分光感度の層はそれらの写真感度に関しては異なり、ここでは感度のより小さい下層は一般的に感度のより大きい下層より支持体近くに配置される。
【００６３】
イエローフィルター層は一般的に緑感性層と青感性層との間に置かれ、それは青色光線が下にある層の中に浸透するのを防止する。
【００６４】
異なる層配置および写真性質に対するその影響に関する可能な選択肢はＪ．Ｉｎｆ．Ｒｅｃ．Ｍａｔｓ．、１９９４、２２巻、１８３−１９３頁およびリサーチ・ディスクロージャー３８９５７、ＸＩ部（１９９６）、６２４頁に記載されている。
【００６５】
感光層の数および配置は具体的な結果を達成するために変えることができる。例えば、感度を高めるために全ての高感度層を１つの層パッケージの中に一緒にまとめることができそして全ての低感度層を１つの層パッケージの中に一緒にまとめることができる（独国特許発明第２５３０６４５号明細書）。
【００６６】
写真乳剤層の実質的成分は、結合剤、ハロゲン化銀粒子およびカラーカプラーである。
【００６７】
適する結合剤の詳細はリサーチ・ディスクロージャー３７２５４、２部（１９９５）、２８６頁およびリサーチ・ディスクロージャー３８９５７、ＩＩ．Ａ部（１９９６）、５９８頁に見られる。
【００６８】
適するハロゲン化銀乳剤、その製造、熟成、安定化および適する分光増感剤を包含する分光増感の詳細はリサーチ・ディスクロージャー３７２５４、３部（１９９５）、２８６頁、リサーチ・ディスクロージャー３７０３８、ＸＶ部（１９９５）、８９頁およびリサーチ・ディスクロージャー３８９５７、Ｖ．Ａ部（１９９６）、６０３頁に見られる。
【００６９】
カメラ感度を有する写真材料は一般的に臭化−ヨウ化銀乳剤を含有しており、それは場合により少割合の塩化銀を含有してもよい。写真プリント材料は８０モル％までのＡｇＢｒを含有する塩化−臭化銀乳剤または９５モル％より多いＡｇＣｌを含有する塩化−臭化銀乳剤のいずれかを含有する。
【００７０】
カラーカプラーの詳細はリサーチ・ディスクロージャー３７２５４、４部（１９９５）、２８８頁、リサーチ・ディスクロージャー３７０３８、ＩＩ部（１９９５）、８０頁およびリサーチ・ディスクロージャー３８９５７、Ｘ．Ｂ部（１９９６）、６１６頁に見られる。カプラーおよびカラー現像剤酸化生成物から生成した染料の極大吸収は好ましくは下記の範囲内である：イエローカプラー４３０〜４６０ｎｍ、マゼンタカプラー５４０〜５６０ｎｍ、シアンカプラー６３０〜７００ｎｍ。
【００７１】
カラー写真フィルム中の感度、粒子、鮮明度および色分離を改良するために、現像剤酸化生成物との反応で写真的に活性な化合物を放出する化合物、例えば現像抑制剤を除去するＤＩＲカプラーがしばしば使用される。
【００７２】
そのような化合物、特にカプラーに関する詳細は、リサーチ・ディスクロージャー３７２５４、５部（１９９５）、２９０頁、リサーチ・ディスクロージャー３７０３８、ＸＩＶ部（１９９５）、８６頁およびリサーチ・ディスクロージャー３８９５７、Ｘ．Ｃ部（１９９６）、６１８頁に見られる。
【００７３】
普通は疎水性であるカラーカプラー並びに層の他の疎水性成分は一般的に高沸点有機溶媒中に溶解または分散させる。これらの溶液または分散液を次に結合剤水溶液（一般的にはゼラチン溶液）の中に乳化させ、そして層が乾燥するとそれは層内に微細小滴（直径０．０５〜０．８μｍ）として存在する。
【００７４】
適する高沸点有機溶媒、写真材料の層内へのその導入方法および写真層内への化学化合物の別の導入方法はリサーチ・ディスクロージャー３７２５４、６部（１９９５）、２９２頁に見られる。
【００７５】
異なる分光感度の層の間に一般的に配置される非感光性中間層は、１つの感光層から異なる分光感度を有する別の感光層中への現像剤酸化生成物の望まれざる拡散を防止する剤を含有しうる。
【００７６】
適する化合物（白色カプラー、スカベンジャーまたはＤＯＰスカベンジャー）は、リサーチ・ディスクロージャー３７２５４、７部（１９９５）、２９２頁、リサーチ・ディスクロージャー３７０３８、ＩＩＩ部（１９９５）、８４頁およびリサーチ・ディスクロージャー３８９５７、Ｘ．Ｄ部（１９９６）、６２１頁以下に見られる。
【００７７】
写真材料は、紫外線吸収化合物、光学明色化剤、スペーサー、フィルター染料、ホルマリンスカベンジャー、光安定剤、酸化防止剤、Ｄｍｉｎ染料、可塑剤（ラテックス）、殺菌剤並びにカプラーおよび染料安定性を改良するため、色かぶりを減ずるためおよび黄変を減ずるための添加剤なども含有できる。適する化合物は、リサーチ・ディスクロージャー３７２５４、８部（１９９５）、２９２頁、リサーチ・ディスクロージャー３７０３８、ＩＶ、Ｖ、ＶＩ、ＶＩＩ、Ｘ、ＸＩおよびＸＩＩＩ部（１９９５）、８４頁以下並びにリサーチ・ディスクロージャー３８９５７、ＶＩ、ＶＩＩＩ、ＩＸおよびＸ部（１９９６）、６０７および６１０頁以下に見られる。
【００７８】
カラー写真材料の層は一般的に硬膜化され、すなわち使用される結合剤、好ましくはゼラチン、が適当な化学的方法により架橋結合される。
【００７９】
適する硬膜剤物質は、リサーチ・ディスクロージャー３７２５４、９部（１９９５）、２９４頁、リサーチ・ディスクロージャー３７０３８、ＸＩＩ部（１９９５）、８６頁およびリサーチ・ディスクロージャー３８９５７、ＩＩ．Ｂ部（１９９６）、５９９頁に見られる。
【００８０】
像で露出されたら、カラー写真材料をそれらの性質によって異なる方法を用いて処理する。処理方法および必要な化学物質に関する詳細は、リサーチ・ディスクロージャー３７２５４、１０部（１９９５）、２９４頁、リサーチ・ディスクロージャー３７０３８、ＸＶＩ〜ＸＸＩＩＩ部（１９９５）、９５頁以下およびリサーチ・ディスクロージャー３８９５７、ＸＶＩＩＩ、ＸＩＸおよびＸＸ部（１９９６）、６３０頁以下に例示材料と共に開示されている。
【実施例】
【００８１】
下記の層を記載された順序で三酢酸セルロースの透明な層支持体上に適用することにより、カラーネガ現像用のカラー写真記録材料（層構造１Ａ）を製造した。量は各場合とも１ｍ２当たりで示されている。ハロゲン化銀適用割合はＡｇの相当する量として示され、ハロゲン化銀は１モルのＡｇＮＯ３当たり０．５ｇの４−ヒドロキシ−６−メチル−１，３，３ａ，７−テトラアザインデンを用いて安定化される。
第１層（抗−ハロ層）
０．１６ｇの黒色コロイド状銀
１．２ｇのゼラチン
０．１５ｇのＤＯＰスカベンジャーＥＦ−１
０．２ｇの紫外線吸収剤ＵＶ−１
０．２ｇの燐酸トリクレシル（ＴＣＰ）
第２層（低感度赤感性層）
５モル％のヨウ化物を有する平均粒子直径０．３５μｍの分光的に赤色増感されたＡｇ（Ｂｒ，Ｉ）乳剤の０．４８ｇのＡｇ
１．４ｇのゼラチン
０．６２ｇの無色カプラーＣ−１
０．０２ｇのＤＩＲカプラーＤ−１
０．０９ｇの着色カプラーＲＣ−１
０．０１５ｇの着色カプラーＹＣ−１
０．７５ｇのＴＣＰ
第３層（中感度赤感性層）
４．５モル％のヨウ化物を有する平均粒子直径０．４７μｍの分光的に赤色増感されたＡｇ（Ｂｒ，Ｉ）乳剤の０．４８ｇのＡｇ
０．７ｇのゼラチン
０．１６ｇの無色カプラーＣ−１
０．０６ｇの着色カプラーＲＣ−１
０．０１５ｇの着色カプラーＹＣ−１
０．０１ｇのＤＩＲカプラーＤ−１
０．１７ｇのＴＣＰ
第４層（高感度赤感性層）
４．５モル％のヨウ化物を有する平均粒子直径０．５５μｍの分光的に赤色増感されたＡｇ（Ｂｒ，Ｉ）乳剤の０．２１ｇのＡｇ
０．４ｇのゼラチン
０．０３ｇの無色カプラーＣ−２
０．００５ｇのＤＩＲカプラーＤ−１
０．０３ｇのＴＣＰ
第５層（中間層）
１．１ｇのゼラチン
０．０５ｇのＤＯＰスカベンジャーＥＦ−１
０．０６ｇのアウリントリカルボン酸アルミニウム塩
第６層（低感度緑感性層）
４．２モル％のヨウ化物を有する平均粒子直径０．４０μｍの分光的に緑色増感されたＡｇ（Ｂｒ，Ｉ）乳剤の０．５０ｇのＡｇ
１．１ｇのゼラチン
０．４１ｇの無色カプラーＭ−１
０．００５ｇのＤＩＲカプラーＤ−１
０．１４ｇの着色カプラーＹＭ−１
０．５５ｇのＴＣＰ
第７層（高感度緑感性層）
４．５モル％のヨウ化物を有する平均粒子直径０．５０μｍの分光的に緑色増感されたＡｇ（Ｂｒ，Ｉ）乳剤の０．５５ｇのＡｇ
１．０ｇのゼラチン
０．０９ｇの無色カプラーＭ−２
０．０４ｇの着色カプラーＹＭ−２
０．１３ｇのＴＣＰ
０．００８ｇのＤＩＲカプラーＤ−１
第８層（イエローフィルター層）
０．０６ｇのイエロー染料ＧＦ−１
１．３ｇのゼラチン
０．０２ｇの着色カプラーＹＭ−２
０．０４ｇのＤＯＰスカベンジャーＥＦ−１
０．０６ｇのＴＣＰ
第９層（低感度青感性層）
６．０モル％のヨウ化物を有する平均粒子直径０．５０μｍの分光的に青色増感されたＡｇ（Ｂｒ，Ｉ）乳剤の０．３１ｇのＡｇ
３．２ｇのゼラチン
１．１ｇの無色カプラーＹ−１
０．０５ｇのＤＩＲカプラーＤ−１
１．１ｇのＴＣＰ
第１０層（高感度青感性層）
６．５モル％のヨウ化物を有する平均粒子直径０．７０μｍの分光的に青色増感されたＡｇ（Ｂｒ，Ｉ）乳剤の０．３８ｇのＡｇ
０．６ｇのゼラチン
０．１５ｇの無色カプラーＹ−１
０．０１ｇのＤＩＲカプラーＤ−１
０．１６ｇのＴＣＰ
第１１層（マイクレート（ｍｉｃｒａｔｅ）層）
０．５モル％のヨウ化物を有する平均粒子直径０．０６μｍのマイクレートＡｇ（Ｂｒ，Ｉ）乳剤の０．０４ｇのＡｇ
１ｇのゼラチン
０．３ｇの紫外線吸収剤ＵＶ−２
０．３ｇのＴＣＰ
第１２層（保護および硬膜層）
０．２５ｇのゼラチン
硬膜時に全体的層構造が＜３．２の膨潤因子を有するような０．７５ｇの硬膜剤Ｈ−１。
実施例１で使用した物質：
【００８２】
【化１２】
2005055911.tif 000013
【００８３】
【化１３】
2005055911.tif 000014
【００８４】
【化１４】
2005055911.tif 000015
【００８５】
【化１５】
2005055911.tif 000016
【００８６】
【化１６】
2005055911.tif 000017
【００８７】
グレーウェッジを用いる露出後に、材料を“Ｔｈｅ  Ｂｒｉｔｉｓｈ  Ｊｏｕｒｎａｌ  ｏｆ  Ｐｈｏｔｏｇｒａｐｈｙ”、１９７４、５９７および５９８頁に従い現像する。
【００８８】
層構造１Ａ−１Ｆは第７層において異なり、それは下記の銀適用割合およびＤＩＲカプラーを含有する：
【００８９】
【表１】
2005055911.tif 000018
【００９０】
層構造２ａは第３層（赤感性サブパッケージ）中でＤ−１の代わりにＤＩＲカプラーの配合物を含有する：
【００９１】
【表２】
2005055911.tif 000019
【００９２】
写真結果を表２および３に示す。色相における変化は、濃度０．６のグレーカードを昼光下および光色２１の蛍光中で写真撮影することにより、測定される。両者のネガを同じフィルターパックを用いてプリントする。示された値は２つのタイプの露出間のＣＩＥＬａｂユニットにおける差である。色キャストの「はい／いいえ」評価はグレーカードの視覚的比較に基づいておりそして蛍光で露出されたプリントに関するものである。
【００９３】
【表３】
2005055911.tif 000020
【００９４】
【表４】
2005055911.tif 000021
【００９５】
本発明に従う材料で見られるように、緑感性下層中の少なくとも２種の本発明に従うＤＩＲカプラーの組み合わせにより、高められた感度を維持しながら緑色キャストが回避される点で蛍光下での色再現における改良が得られる。
【図面の簡単な説明】
【００９６】
【図１】図１は本発明で使用される光色２１の蛍光光線の分光スペクトル図である。
【図１】
2005055911.tif 000022